(57)【要約】【課題】光ディスクの動作安定性及び設計上の自由度を向上させる。【解決手段】安定化部材８の光ディスク１との対向面における圧力分布（実線）は、段差２７の代わりに傾斜面（点線）が設けられていた場合の圧力分布にくらべ、正圧が最大となる領域と負圧が最大となる領域とが集中するようになり、比較的急峻となる。すなわち、段差２７により、その周辺の圧力差が急峻となることにより、光ディスク１の変形が抑制され、光ディスク１が平坦に維持されるようになる。この場合、光ディスク１を安定化部材８の方に近づける必要がなくなり、光ディスク１を安定化部材８から離間させることができる。【選択図】図５
2006236459.tif 000002
【特許請求の範囲】
【請求項１】
可撓性を有するシート状の光ディスクを回転させる回転駆動手段と；
該回転駆動手段により駆動される前記光ディスクの回転軸方向の振れを、前記光ディスクとの間の気流の圧力差により安定化させるために、前記光ディスクの記録面とは反対面側の少なくとも一部に設置された少なくとも１つの安定化手段と；を備え、
前記安定化手段の前記光ディスクとの対向面が、前記光ディスクの回転方向の上流側から下流側に向かって前記光ディスクとの間隔が狭くなる方向に傾斜する斜面と、前記斜面に連続し、前記光ディスクとの間隔がステップ状に拡がる段差が前記回転方向の下流端の少なくとも一部に形成された平坦面とを含む光ディスク装置。
【請求項２】
前記段差は、前記平坦面の前記光ディスクの半径方向中央部に形成されていることを特徴とする請求項１に記載の光ディスク装置。
【請求項３】
複数の前記安定化手段が、前記光ディスクの円周方向に点在するように配設されていることを特徴とする請求項１又は２に記載の光ディスク装置。
【請求項４】
複数の前記安定化手段が、前記光ディスクの回転中心に対し点対称に配置されていることを特徴とする請求項３に記載の光ディスク装置。
【請求項５】
複数の前記安定化手段が、前記光ディスクの円周方向に９０度間隔で配置されていることを特徴とする請求項４に記載の光ディスク装置。
【請求項６】
前記安定化手段と前記光ディスクとの間の気流の気圧が高くなるにつれて前記安定化手段と前記光ディスクとの間隔が拡がるように前記安定化手段の姿勢を制御する姿勢制御機構をさらに備えることを特徴とする請求項１〜５のいずれか一項に記載の光ディスク装置。
【請求項７】
前記姿勢制御機構は、
前記回転駆動手段を支持する支持体に固定された保持部材と；
該保持部材と前記安定化手段とを連結する弾性部材と；を有することを特徴とする請求項６に記載の光ディスク装置。
【請求項８】
前記弾性部材と前記保持部材との間の干渉を防ぐ緩衝部材をさらに有することを特徴とする請求項７に記載の光ディスク装置。
【請求項９】
可撓性を有するシート状の光ディスクを回転させる回転駆動手段と；
該回転駆動手段により駆動される光ディスクの回転軸方向の振れを前記光ディスクとの間の気流の圧力差によって安定化させるために前記光ディスクの記録面とは反対面側の少なくとも一部に設置された少なくとも１つの安定化手段と；
前記回転駆動手段により駆動される光ディスクの回転方向に対して、前記安定化手段に対向する前記光ディスクの記録面が通過する領域とは、所定角度離れた領域において前記光ディスクに対する情報の書込及び読取の少なくとも一方を行う光ピックアップ装置と；を備える光ディスク装置。
【請求項１０】
ケースと；該ケース内に収納された光ディスクと；を備えるディスクカートリッジであって、
前記ケース内に、前記光ディスクの記録面とは反対面側に設置され、前記光ディスクの回転軸方向の振れを前記光ディスクとの間の気流の圧力差によって安定化させる少なくとも１つの安定化手段をさらに備え、
前記安定化手段の前記光ディスクとの対向面が、前記光ディスクの回転方向の上流側から下流側に向かうにつれて前記光ディスクとの間隔が狭くなる方向に傾斜する斜面と、該斜面に連続し、前記光ディスクとの間隔がステップ状に拡がる段差が前記回転方向の下流端の少なくとも一部に形成された平坦面とを含むディスクカートリッジ。
【請求項１１】
可撓性を有するシート状の光ディスクを回転させる回転駆動手段と、該回転駆動手段により駆動される光ディスクの記録面とは反対面側に設置され、前記光ディスクの回転軸方向の振れを前記光ディスクとの間の気流の圧力差により安定化させる少なくとも１つの安定化手段と、前記回転駆動手段により駆動させる光ディスクに対する情報の書込及び読取の少なくとも一方を行う光ピックアップ装置とを備える光ディスク装置の製造方法であって、
前記光ディスクの回転中に、前記回転駆動手段の回転軸方向に関する前記光ディスクの面の変動が最小である領域を検出する工程と；
前記検出された領域を、前記光ピックアップ装置により前記光ディスクに対する情報の書込及び読取の少なくとも一方を行う領域として決定する工程と；を含む光ディスク装置の製造方法。
【発明の詳細な説明】
【技術分野】
【０００１】
本発明は、光ディスク装置、ディスクカートリッジ及び光ディスクの製造方法に係り、さらに詳しくは、可撓性を有するシート状の光学的情報記録媒体である光ディスクに対し情報の記録／再生を行う光ディスク装置、可撓性を有するシート状の光ディスクを収納するディスクカートリッジ及び前記光ディスク装置の製造方法に関するものである。
【背景技術】
【０００２】
テレビ放送のデジタル化が開始されるなどの近年の情報のデジタル化に伴い、光ディスクの大容量化、すなわち光ディスクへ記録される情報の記録の高密度化に対する要求が高まっている。光ディスクへの情報の記録の高密度化の基本的な主な方策としては、記録／再生のために用いられる光のスポット径を小さくすることがあげられる。光のスポット径を小さくするには、記録／再生のために用いられる光の波長を短くし、かつ対物レンズの開口数ＮＡを大きくすることが有効である。
【０００３】
例えば、光の波長については、従来、ＣＤ（Compact Disk）では近赤外光、例えば７８０ｎｍ近傍の波長の光が用いられ、ＤＶＤ（Digital Versatile Disk）では赤色光、例えば６５０ｎｍ近傍の波長の光が用いられているが、最近では、青紫光の半導体レーザが開発され、今後は４００ｎｍ近傍のレーザ光が使用されるであろうと予想されている。 また、対物レンズについては、従来、ＣＤ用の対物レンズのＮＡは０．５未満であり、ＤＶＤ用の対物レンズのＮＡは０．６程度であったが、今後は、さらに開口数（ＮＡ）を大きくしてＮＡ０．７以上とすることが求められている。
【０００４】
しかし、対物レンズのＮＡが大きくなればなるほど、また、光の波長が短くなればなるほど、光学系の収差の影響が大きくなっていくと予想される。これにより、対物レンズの光軸方向と光ディスクとの記録面に垂直な方向のずれ（チルト）に対するマージンが減ることになる。また、対物レンズのＮＡを大きくすればするほど、その焦点深度が狭くなるため、光ディスクの記録面に対するフォーカスサーボの精度を上げる必要がある。
【０００５】
さらに、高ＮＡの対物レンズを使用することによって、対物レンズと光ディスクの記録面との間隔を狭める必要が生じるため、光ディスクの面ぶれを小さくしておかないと、例えば、始動時にフォーカスサーボを引き込む直前に、対物レンズと光ディスクとが干渉する可能性が高くなる。
【０００６】
このような背景から、短波長、高ＮＡの面ぶれの少ない大容量光ディスクとして、例えば、ＣＤと同程度に厚く剛性の大きい基板に記録膜を成膜したものを用いて、記録／再生用の光を、基板を通さずに薄いカバー層内を通すことにより、記録膜に対する記録／再生を行う技術が提案されている（例えば、非特許文献１参照）。しかしながら、この技術では、光ディスクの基板を剛体で形成するので、回転中の光ディスクの面ぶれを低減し、そのチルトを小さくするためには、光ディスクを製造する際に極めて正確な成形をしなければならなくなり、さらに、熱変形が生じないように低温下で記録膜を成膜しなければならなくなる。その結果、光ディスクの製造に係るタクトタイムが長くなり、装置のコスト高を招いてしまうという不都合が生じる。
【０００７】
そこで、タクトタイムを短くすることができ、コスト削減することができる大容量光ディスクとして可撓性を有するシート状（すなわち薄膜）の光ディスクの開発が進められており、このような光ディスクを、平面を有する安定化板上で回転させることにより、光ディスクにおける面ぶれを抑制する技術が提案されている（例えば、特許文献１、特許文献２参照）。しかしながら、上記技術のように、可撓性のある光ディスクを単純な平板上で回転させると、光ディスクと安定化板とが接して摺動することにより、かえって光ディスクが振動して高周波の面ぶれが発生する可能性もある。このような面ぶれは、機械的なフォーカスサーボ機構では応答できない帯域の周波数成分を含んでいることが多く、面ぶれが発生すると、残留サーボエラーを十分に抑圧することが困難となる。また、光ディスクの面ぶれにより光ディスクと対物レンズとが摺動すると、発塵を引き起こし、その塵埃などが記録／再生エラーを発生させる原因となる。特に、特許文献１に記載されているように、安定化板側に記録膜が存在する構成であると、摺動により光ディスクの記録膜が損傷し、重大な記録／再生エラーを引き起こす可能性もある。 
【０００８】
上記不都合を解決するために、可撓性を有するシート状の光ディスクを用いて記録／再生を行う際に、光ディスクの回転に伴ってディスク周辺の雰囲気に生じる空気力によって光ディスクの面ぶれを確実に抑制して高密度の記録を可能にし、対物レンズとの摺接などの不具合の発生を防ぐことができる光ディスク装置等が開示されている（例えば、特許文献３参照）。
【０００９】
この装置は、光ディスクの記録面とは反対面側に設置され、光ディスクにおける書込及び読取の少なくとも一方が行われる領域の回転軸方向の振れを気流の圧力差によって安定化させる安定化手段を備えたものであり、安定化手段により面ぶれが安定化される光ディスクの部位のその回転方向上流側と下流側とに前記気流の圧力差を生じさせない領域を設けたことを特徴とするものである。この装置によれば、第１に、光ディスクにおける記録面とは反対の基板側に安定化手段が存在するので、万一、光ディスクが安定化手段との間隔が狭くなって、それらが摺動して光ディスクに傷がついたとしても、その傷は、記録面側ではなく、基板側の傷となる。記録／再生用の光は基板を通らないため、記録／再生が基板の傷の影響、すなわち基板の光学特性の影響を受けることがなくなる。第２に、この装置によれば、安定化手段の光ディスクに対する対向面の面形状を、光ディスクの回転に伴いその周辺の気流に正圧の領域と負圧の領域とが発生するような形状とし、それらの圧力差を拮抗させることにより、光ディスクを安定に支持することができるようになっている。また、安定化手段により、光ディスクの面位置を安定化させた部位の前後に光ディスク内部に生じる応力を逃がすための「逃げ」となる部分を設けているので、安定化手段による光ディスクの面ぶれの低減をより確実なものとすることができるようになり、高品質な情報の記録／再生を実現することができる。
【００１０】
この装置は、回転中の光ディスクの姿勢の面ぶれを十分に低減するものであるが、将来的には、光ディスクの回転数がより高速になると予想されるため、高速回転中での光ディスクのさらなる動作安定性の向上が望まれている。また、このように光ディスクの回転数が上がれば上がるほど、回転中の光ディスクと他の部材との摺動を防止すべく、光ディスクとそれらの部材との間隔を広げて装置設計の自由度を向上させる必要もある。
【００１１】
【特許文献１】特開平７−１０５６５７号公報
【特許文献２】特開平１０−３０８０５９号公報
【特許文献３】特開２００３−１１５１０８号公報
【非特許文献１】Ｏ ＰＬＵＳ Ｅ（ｖｏｌ．２０ ，Ｎｏ．２，１８３ページ）
【発明の開示】
【発明が解決しようとする課題】
【００１２】
本発明は、かかる事情の下でなされたもので、その第１の目的は、光ディスクの動作安定性及び設計上の自由度を向上させることができる光ディスク装置を提供することにある。
【００１３】
また、本発明の第２の目的は、光ディスクの動作安定性及び設計上の自由度を向上させることができるディスクカートリッジを提供することにある。
【００１４】
また、本発明の第３の目的は、光ディスクの動作安定性及び設計上の自由度を向上させることができる光ディスク装置の製造方法を提供することにある。
【課題を解決するための手段】
【００１５】
請求項１に記載の発明は、可撓性を有するシート状の光ディスクを回転させる回転駆動手段と；該回転駆動手段により駆動される前記光ディスクの回転軸方向の振れを、前記光ディスクとの間の気流の圧力差により安定化させるために、前記光ディスクの記録面とは反対面側の少なくとも一部に設置された少なくとも１つの安定化手段と；を備え、前記安定化手段の前記光ディスクとの対向面が、前記光ディスクの回転方向の上流側から下流側に向かって前記光ディスクとの間隔が狭くなる方向に傾斜する斜面と、前記斜面に連続し、前記光ディスクとの間隔がステップ状に拡がる段差が前記回転方向の下流端の少なくとも一部に形成された平坦面とを含む光ディスク装置である。
【００１６】
これによれば、安定化手段の光ディスクとの対向面が、光ディスクの回転方向の上流側から下流側に向かって斜面と平坦面とを有している。この斜面は、光ディスクの回転方向の上流側から下流側に向かって光ディスクとの間隔が狭くなる方向に傾斜しており、それに連続する平坦面は、その斜面に連続して下流側に設けられており、この平坦面には、光ディスクとの間隔がステップ状に拡がる段差が、前記回転方向の下流端の少なくとも一部に形成されている。このように、安定化部材の光ディスクとの対向面の下流側に段差があると、正圧が極大となる領域と負圧が極大となる領域とが、その段差の周辺に連続して出現し、光ディスクの回転方向に渡る安定化手段と光ディスクとの間における気流の圧力分布が急峻となって、圧力変動の大きい範囲が狭まるようになる。圧力変動の大きい範囲が狭まると、光ディスクの変形を極力抑えた状態で、光ディスクを安定化させることができるようになるので、光ディスクがほぼ水平な状態で非接触支持されるようになり、回転中の光ディスクの動作安定性をさらに向上させることができるようになる。また、光ディスクの変形が抑制されることにより、安定化手段を光ディスクに接近させる必要がなくなるため、光ディスクと安定化手段との間の間隔を拡げることができるようになり、装置の設計の自由度をも向上させることができるようになる。
【００１７】
上記請求項１に記載の光ディスク装置において、請求項２に記載の光ディスク装置のごとく、前記段差は、前記平坦面の前記光ディスクの半径方向中央部に形成されていることとすることができる。かかる場合には、光ディスクの半径方向の圧力変化も急峻となり、回転中の光ディスクをより安定化させることが可能となる。
【００１８】
上記請求項１又は２に記載の光ディスク装置において、請求項３に記載の光ディスク装置のごとく、複数の前記安定化手段が、前記光ディスクの円周方向に点在するように配設されていることとすることができる。この場合において、請求項４に記載の光ディスク装置のごとく、複数の前記安定化手段が、前記光ディスクの回転中心に対し点対称に配置されていることとすることができ、望ましくは、請求項５に記載の光ディスク装置のごとく、複数の前記安定化手段が、前記光ディスクの円周方向に９０度間隔で配置されていることとすることができる。かかる場合には、回転中の光ディスクを、全面に渡って平坦な状態で安定化させることが可能となる。
【００１９】
また、上記請求項１〜５のいずれか一項に記載の光ディスク装置において、請求項６に記載の光ディスク装置のごとく、前記安定化手段と前記光ディスクとの間の気流の気圧が高くなるにつれて前記安定化手段と前記光ディスクとの間隔が拡がるように前記安定化手段の姿勢を制御する姿勢制御機構をさらに備えることとすることができる。この場合において、請求項７に記載の光ディスク装置のごとく、前記姿勢制御機構は、前記回転駆動手段を支持する支持体に固定された保持部材と；該保持部材と前記安定化手段とを連結する弾性部材と；を有することとすることができる。かかる場合には、例えば、光ディスクの回転数が向上し、光ディスクと安定化部材との間に生じる圧力が全体的に高くなったとしても、その圧力に応じて、安定化部材の位置が変動し、光ディスクの回転数の上昇に伴う圧力の上昇を抑制することができるので、光ディスクの回転数に関わらず、常にほぼ同じ強さの圧力下で、回転中の光ディスクを安定化させることが可能となる。なお、請求項８に記載の光ディスク装置のごとく、前記弾性部材と前記保持部材との間の干渉を防ぐ緩衝部材をさらに備えることとすることができる。
【００２０】
請求項９に記載の発明は、可撓性を有するシート状の光ディスクを回転させる回転駆動手段と；該回転駆動手段により駆動される光ディスクの回転軸方向の振れを前記光ディスクとの間の気流の圧力差によって安定化させるために前記光ディスクの記録面とは反対面側の少なくとも一部に設置された少なくとも１つの安定化手段と；前記回転駆動手段により駆動される光ディスクの回転方向に対して、前記安定化手段に対向する前記光ディスクの記録面が通過する領域とは、所定角度離れた領域において前記光ディスクに対する情報の書込及び読取の少なくとも一方を行う光ピックアップ装置と；を備える光ディスク装置である。これによれば、光ピックアップ装置が前記光ディスクに対する情報の書込及び読取の少なくとも一方を行う領域を、前記安定化手段に対向する前記光ディスクの記録面が通過する領域ではなく、光ディスク全体に渡りその状態が最も安定化する領域とすることができるので、光ディスクに対する情報の記録／再生のさらなる高品質化を図ることができる。
【００２１】
請求項１０に記載の発明は、ケースと；該ケース内に収納された光ディスクと；を備えるディスクカートリッジであって、前記ケース内に、前記光ディスクの記録面とは反対面側に設置され、前記光ディスクの回転軸方向の振れを前記光ディスクとの間の気流の圧力差によって安定化させる少なくとも１つの安定化手段をさらに備え、前記安定化手段の前記光ディスクとの対向面が、前記光ディスクの回転方向の上流側から下流側に向かうにつれて前記光ディスクとの間隔が狭くなる方向に傾斜する斜面と、該斜面に連続し、前記光ディスクとの間隔がステップ状に拡がる段差が前記回転方向の下流端の少なくとも一部に形成された平坦面とを含むディスクカートリッジである。
【００２２】
これによれば、安定化手段の光ディスクとの対向面が、上流側から下流側に向かって斜面と平坦面とを有している。この斜面は、光ディスクの回転方向の上流側から下流側に向かって光ディスクとの間隔が狭くなる方向に傾斜しており、それに連続する平坦面は、その斜面に連続して下流側に設けられている。また、平坦面には、光ディスクとの間隔がステップ状に拡がる段差が、前記回転方向の下流端の少なくとも一部に形成されている。このように、安定化部材の光ディスクとの対向面の下流側に段差を設けることにより、正圧が極大となる領域と負圧が極大となる領域とが、その段差の周辺に集中して出現し、その圧力が大きく変動する範囲が狭くなり、その変化が急峻となる。このようにすれば、光ディスクの変形を極力抑えた状態で、光ディスクをより安定化させることができるようになるので、回転中の光ディスクの動作安定性をさらに向上させることができるようになる。
【００２３】
請求項１１に記載の発明は、可撓性を有するシート状の光ディスクを回転させる回転駆動手段と、前記光ディスクの記録面とは反対面側に設置され、前記光ディスクの回転軸方向の振れを前記光ディスクとの間の気流の圧力差により安定化させる少なくとも１つの安定化手段と、前記回転駆動手段により駆動させる光ディスクに対する情報の書込及び読取の少なくとも一方を行う光ピックアップ装置とを備える光ディスク装置の製造方法であって、前記光ディスクの回転中に、前記回転駆動手段の回転軸方向に関する前記光ディスクの面の変動が最小である領域を検出する工程と；前記検出された領域を、前記光ピックアップ装置により前記光ディスクに対する情報の書込及び読取の少なくとも一方を行う領域として決定する工程と；を含む光ディスク装置の製造方法である。
【００２４】
これによれば、光ディスクの回転中に、回転駆動手段の回転軸方向に関する前記光ディスクの面の変動が最小となる領域で、光ピックアップ装置により光ディスクに対する情報の書込及び読取の少なくとも一方を行うことができる光ディスク装置を製造することができるので、光ディスクに対する情報の記録／再生のさらなる高品質化を図ることが可能となる。
【発明を実施するための最良の形態】
【００２５】
以下、本発明の一実施形態を図１〜図９に基づいて説明する。
【００２６】
図１には、本発明の一実施形態に係る光ディスク装置２０の概略構成を示す断面図が示されている。図１に示されるように、光ディスク装置２０は、可撓性を有するシート状の光ディスク１を保持するための押さえ２及びスピンドルシャフト３と、該スピンドルシャフト３を回転駆動させるモータシステム４と、光ディスク１に対し情報の書込及び読取を行う光ピックアップ６と、該光ピックアップ６を光ディスク１の半径方向に移動させるピックアップ用位置決め機構７と、光ディスク１を挟んで光ピックアップ６に対向配置された、光ディスク１の面ぶれを防止するための安定化部材８と、該安定化部材８を保持する安定化部材保持板９と、上記各構成要素を収納するハウジングとしての筺体１０とを含んで構成されている。
【００２７】
図２の断面図に示されるように、光ディスク１は、保護膜２９と、記録層３０と、基板３１とを含んで構成されている。さらに具体的には、光ディスク１では、可撓性を持たせるために、約９５μｍ程度の薄いシートが用いられている。例えばポリエチレンテレフタレート（ＰＥＴ）製の厚さ８０μｍのシートに熱転写で、スタンパのピッチが０．６μｍ、幅０．３μｍのグルーブを転写し、その後、スパッタリングでシート／Ａｇ反射層を１２０ｎｍ／（ＺｒＯ2-Ｙ2Ｏ3）−ＳｉＯ2，７ｎｍ／ＡｇＩｎＳｂＴｅＧｅ，１０ｎｍ／ＺｎＳ-ＳｉＯ2，２５ｎｍ／Ｓｉ3Ｎ4の順番に成膜し、このシートにＵＶ樹脂をスピンコートし、紫外線照射で硬化させて厚さ５μｍの透明保護膜を形成し、さらに、このディスクを大口径のレーザ光で記録層を溶融結晶化することにより、反射率を上げたものが使用される。すなわち、この光ディスク１は、可撓性を有するシート状のディスクであり、重力や遠心力、後述する安定化部材８から受ける圧力などにより、容易に変形する。すなわち、この光ディスク１では、参照平面（光ディスク１が全面に渡って水平となったときの安定化部材側の面）を基準としたときの各点におけるスピンドルシャフト３の回転軸方向の変形量が比較的大きくなる。また、光ディスク１の一般的な材料物性の一例を以下の表１に示す。
【００２８】
【表１】
2006236459.tif 000003
光ディスク１の中央部には、スピンドルシャフト３に保持させるための円状の空孔が設けられている。光ディスク１の外径ｒｂは、０．０６ｍであり、内径ｒａ（内部の円状の空孔の半径）は、０．００７５ｍとなっている。
【００２９】
図２に示されるように、光ディスク装置２０では、光ディスク１の記録層３０が、光ピックアップ６の対物レンズ１５に対向し、基板３１が安定化部材８に対向するように、光ディスク１がセットされる。
【００３０】
押さえ２によって光ディスク１を保持するスピンドルシャフト３は、モータシステム４の駆動により、その回転軸を中心に回転し、光ディスク１を回転させる。モータシステム４は、例えば約５０００ｒｐｍでスピンドルシャフト３を回転させるモータを備えており、そのモータの回転数等は、不図示の制御装置により制御可能となっている。スピンドルシャフト３の回転数や回転位置等は、不図示のセンサにより検出可能となっており、前述の制御装置は、その検出結果に基づいてスピンドルシャフト３の回転数及び回転位置を制御する。
【００３１】
光ピックアップ６は、光ディスク１の記録面にレーザ光を集光するとともに、記録面からの反射光を受光するための装置である。このレーザ光の照射及び反射光の受光により、光ピックアップ６は、光ディスク１に対し、情報の書込及び読取を行うことができるようになっている。なお、光ピックアップ６は、不図示の制御装置により、ピックアップ用位置決め機構７を介して光ディスク１の半径方向に移動可能となっている。したがって、光ピックアップ６により、情報の書込又は読取を行う領域は、光ディスク１の半径方向に沿った線状又は扇形状（光ディスク１の円周方向の幅が、その半径方向の長さに対して十分短い領域）の領域となる。
【００３２】
箱型の筺体１０の内部には、上記各構成要素が設置されており、その内部空間は、所定の気体（例えば空気）で満たされている。
【００３３】
図３には、安定化部材８周辺の光ディスク装置２０の一部の分解斜視図が示されている。図３に示されるように、モータシステム４には、輪状の安定化部材保持板９が嵌め込まれてその最下部の段上にねじ止め等により設置される。その安定化部材保持板９には、４つの安定化部材８がねじ止め等により保持される。４つの安定化部材８は、モータシステム４のスピンドルシャフト３を中心に、９０度の間隔で均等に配置されている。光ディスク１の中心の空孔部を、スピンドルシャフト３にはめ込み、押さえ２で固定すると、安定化部材８の頭部と、光ディスク１の記録面の反対側の面とは、ほぼ一定の間隔（ギャップ距離）を保った状態（すなわち非接触）で対向するようになる。なお、光ディスク１は、安定化部材８から見て時計回りに回転する。
【００３４】
図４には、光ディスク１に対向する安定化部材８の頭部付近の拡大斜視図が示されている。図４に示されるように、光ディスク１の回転方向の上流側には、傾斜面２５が設けられている。この傾斜面２５は、光ディスク１の回転方向の下流側に向かっていくにつれて、光ディスク１との間隔が狭くなるように傾斜している。この傾斜面２５の光ディスク１の回転方向に関する長さを、以下では、「スロープ幅」と呼ぶ。
【００３５】
続いて、傾斜面２５よりも光ディスク１の回転方向下流側には、光ディスク１の面にほぼ平行となる平坦面２６が、傾斜面２５に連続して設けられている。そして、平坦面２６の光ディスク１の回転方向下流側端の一部には、段差２７が設けられている。この段差２７により、平坦面２６では、光ディスク１の回転方向の下流側に向かって、光ディスク１との間隔がステップ状に拡がる空間が形成される。傾斜面２５と平坦面２６との境界から、この段差２７までの長さを、以下では「尾根幅」と呼び、傾斜面２５の最も低いところを基準とする平坦面２６の高さを、以下では「ベアリング長さ」と呼ぶ。また、段差２７の光ディスク１の半径方向の幅を、以下では「ステップ幅」と呼び、その深さを「ステップ深さ」と呼び、その回転方向の長さを、「ステップ長さ」と呼ぶ。
【００３６】
図５（Ａ）〜図５（Ｃ）には、安定化部材８による光ディスク１の安定化の原理が示されている。図５（Ａ）には、１つの安定化部材８周辺の断面図が示されている。モータシステム４の駆動に伴うスピンドルシャフト３の回転により光ディスク１が回転すると、光ディスク１自体には、それ自体の剛性や回転力の作用により水平な状態になろうとする力が働く。この状態で、図５（Ａ）に示されるように、安定化部材８の面形状の作用により生ずる、ベルヌーイの法則に基づく空気流における正圧と負圧との圧力差により、安定化部材８と光ディスク１との間の反発力が発生する。この反発力と、光ディスク１自体に発生する水平な状態になろうとする力とを釣り合わせることによって、大きな面ぶれ（光ディスク１の回転方向の振れ）を低減することができる。
【００３７】
安定化部材８と光ディスク１との間の反発力についてさらに具体的に説明する。図５（Ａ）に示されるように、傾斜面２５では、光ディスク１の回転方向下流側に向かって、光ディスク１との間隔（「ギャップ距離」ともいう。）が狭くなっていくので、光ディスク１の回転につられてその回転方向に移動する気体は圧縮され、大気圧に比してその圧力が高まるため、傾斜面２５及び平坦面２６において、光ディスク１と安定化部材８との間に反発力が生じる。さらに、平坦面２６の光ディスク１の回転方向下流側に設けられた段差２７において、一般の粘性流体として考えられる気流の渦が生じ、この段差２７近傍の空間に、正圧が最大となる領域と負圧が最大となる領域とが現れる。安定化部材８は、このように、光ディスク１の回転方向の下流側の対向面に、傾斜面２５及び段差２７を含む平坦面２６を設けることで発生するこれら正圧と負圧の圧力差の拮抗によって光ディスク１の面ぶれの発生を抑制し、その位置を安定化させている。
【００３８】
なお、図５（Ａ）には、本実施形態に係る安定化部材８の段差２７周辺に、その段差２７の代わりに傾斜面が設けられた場合におけるその傾斜面が点線で示されている。図５（Ｂ）には、安定化部材８の光ディスク１との対向面における圧力分布が実線で示されており、段差２７の代わりに図５（Ａ）に点線で示される傾斜面が設けられていた場合の圧力分布が点線で示されている。図５（Ｂ）に示されるように、段差２７が設けられている場合では、最大正圧の発生領域と最大負圧の発生領域とが段差近傍に集中し、斜面とした場合に比べその圧力変動が比較的急峻となり、その変動範囲が狭くなる。
【００３９】
光ディスク１の変形を抑制するには、最大正圧発生領域と、最大負圧発生領域とが近く、圧力の変化が急峻になり、その変化の大きい範囲が狭くなっているのが望ましい。例えば、図５（Ｂ）の点線で示されるように正圧が大きい領域と負圧が大きい領域とが広くなりすぎると、図５（Ａ）の点線で示されるように、光ディスク１には、その回転方向下流側に向かって、安定化部材８から離れる方向に変形する力が働く。この場合、光ディスク１の回転方向の下流側では、光ディスク１が安定化部材８から遠ざかるようになるため、光ディスク１を安定化させるべく、光ディスク１を安定化部材８の方にさらに近づける必要が出てくる場合もある。これに対し、本実施形態では、段差２７により、その周辺の圧力差が急峻となるので、光ディスク１の変形は抑制され、光ディスク１の姿勢が水平に維持されるようになる。この場合、光ディスク１を、安定化部材８の方に近づける必要がなくなり、全体的に安定化部材８から離間させギャップ距離を拡げることも可能となる。
【００４０】
本実施形態では、このような安定化の原理を利用して、図５（Ｃ）に示されるように、光ディスク１と安定化部材８との間隔を、数十μｍに拡げている。このようにすれば、光ディスク１と安定化部材８との摺動が発生しにくくなり、回転中の光ディスク１の姿勢がより安定するようになる。
【００４１】
本実施形態では、前述したように、４つの安定化部材８を光ディスク１の回転方向に９０度間隔で配置している。このようにすれば、回転中の光ディスク１は、ほぼ全面に渡って安定化し、良好な状態となる。
【００４２】
なお、回転中の光ディスク１を最適な状態にするには、安定化部材８の「スロープ幅」、「尾根幅」、「ベアリング長さ」、「ステップ幅」、「ステップ深さ」、「ステップ長さ」などの各種寸法を適当に調整する必要がある。このような各種寸法は、コンピュータの数値計算によるシミュレーションにより求めることができる。以下では、この数値計算について説明する。
【００４３】
このシミュレーションは、安定化部材８の上記各種寸法を設定した状態で、光ディスク１の変形場と空気流の流体場の収束状態を計算することにより行われる。この数値計算を行うには、それぞれの場をモデル化する必要がある。
【００４４】
まず、光ディスク１の変形場をモデル化する。光ディスク１内の任意の位置における変位量をｗとする。この変位量ｗは、上記空気流から加えられる圧力や、変位量により光ディスク内部に発生する応力などの影響で時間的に変動するので、時間（ｔとする）に依存する次式で表される関数でモデル化することができる。
【００４５】
【数１】
2006236459.tif 000004
ここで、ｒは、その位置における光ディスク１の回転中心を原点とする極座標の半径であり、θは、光ディスク１の回転中心に対する例えば所定の座標軸を基準とするその位置の回転量である。また、σrは、光ディスク１の半径方向の応力度であり、σθは、光ディスク１の回転方向の応力度である。Ｄは、光ディスク１の剛性であり、ｈは、光ディスク１の厚さであり、Ｐは、空気流から受ける圧力値である。ρdは、ディスク密度である。なお、各方向の応力度は、光ディスク１に生じる遠心力・ヤング率・ポアソン比・ディスク密度の関数となる。本実施形態では、例えばヤング率・ポアソン比・ディスク密度を、上記表１に示される値で一定とし、剛性も均一であるという仮定の下で、光ディスク１の各点における変位量のモデル式である上記式（１）の微分方程式を離散化し、４次ルンゲ＝クッタ法で、その点のディスク変位量ｗの時間非定常演算を行う。
【００４６】
次に、空気流の圧力場をモデル化する。光ディスク１の表面の圧力場は、次式で示されるレイノルズの方程式で表される。
【００４７】
【数２】
2006236459.tif 000005
ここで、ｘ、ｙは、光ディスク１の回転中心を限定とし、参照平面内の直交する２つの軸に関するその点の位置座標であり、ｄは、光ディスク１と、安定化部材８との間隔（ギャップ距離）である。また、ｐは圧力であり、μは、流体の粘性率である。また、Ｕa，Ｖaは、その点における光ディスク１の回転速度のｘ成分、ｙ成分である。
【００４８】
なお、本実施形態では、流体が、非圧縮性のニュートン流体であり、光ディスク１の周辺に層流が形成されているものと仮定して、離散要素法を用いて、上記式（２）の微分方程式を解くものとする。
【００４９】
本実施形態では、上記式（１）、式（２）により、光ディスク１の変形場、空気流の流体場をモデル化し、そのモデルを用いて、光ディスク１を回転させたときの光ディスク１の各点での変位、空気流の各点での圧力の時間変化を上記各解法を用いて数値計算し、それらの変動の収束状態を評価する。このような場の数値計算では、計算速度の都合上、一般的に、その場をグリッド（格子）化して精度上許容されるレベルまで簡素化し、そのグリッドのノードを、その場の代表点とし、その代表点での場の数値を算出することに行われるので、ここでもそれに従う。一般に、流体はその物理量の空間的・時間的変動が、光ディスク１のような構造体の変動よりも大きいので、流体の圧力場領域におけるノードの数（すなわち計算要素）を、光ディスク１の変形場領域におけるノードの数よりも格段に多くする必要がある。
【００５０】
光ディスク１の変形場と流体の圧力場は相互に関係している。すなわち、光ディスク１が変形するとその変形が流体空間に影響を及ぼし、その圧力状態が変化する。また、流体空間の圧力状態が変化すると、光ディスク１の表面に印加される圧力分布が変化するため光ディスク１の変形状態が変化する。このため、双方を連成してその時刻における安定状態を収束計算にて行う双方向の連成解析手法が必要である。
【００５１】
図６には、この数値演算を実現するためのコンピュータによって実現されるプログラムの処理手順を示すフローチャートが示されている。図６に示されるように、まず、ステップ６０１において、解析パラメータである光ディスク１の変位量、圧力、速度、時刻を初期化（＝０）する。また、光ディスク１の表面は回転速度と等しい速度で流体が移動しているという境界条件を設定する。
【００５２】
また、振動の制振機能を調べるために、擬似的な初期条件として、光ディスク１に対して、その回転方向に対して２０波長・半径方向に対して内部円孔半径部（ｒ＝ｒａ）で０μｍ、端部（ｒ＝ｒｂ）で１２．５μｍとなるような、線形に増加する変位量を与えている。すなわち、初期状態では、図７及び次式に示されるような光ディスク１の変位量が与えられている（図７では、スピンドルシャフト３の回転軸方向に変位量ｗを誇張している）。なお、安定化部材８の中心と光ディスク１の回転中心とを結ぶ互いに直交する直線をｘ軸、ｙ軸とする。以下、角度θは、ｘ軸を基準とする角度とする。
【００５３】
【数３】
2006236459.tif 000006
次のステップ６０３では、流体領域とディスク領域のノード、グリッドの合わせこみを行う。ここでは、流体空間とディスク変形という異なった場を連成計算させるため、本来は同一の節点（ノード）を共有させた計算要素を用いる。格子（グリッド）で定義される圧力場値をディスク変形で利用する必要があるためである。しかし、同一節点を用いるとディスク構造変形計算量が無用に増大し、計算時間がかかってしまう。一般に、流体は物理量の空間的・時間的変動が、構造体変形問題での変動より大きいので、離散要素計算等では計算要素を多くし、ディスク構造計算用要素数を少なくする。その結果、流体の圧力場のノードと、ディスクの変形場のノードとが一致しなくなるため、流体計算側から得られた圧力値をディスク構造計算要素に補間することとする。すなわち、この補間処理が、その補間のための流体の圧力場のノードと、ディスクの変形場のノードとの合わせ込みである。
【００５４】
次のステップ６０５では、光ディスク１の変形場を４次ルンゲ＝クッタ法を用いて解析する。４次ルンゲ＝クッタ法は、公知であるので、詳細な説明を省略する。この解析により、光ディスク１の変形場の各ノードにおける変位量ｗが得られるようになる。
【００５５】
次のステップ６０７では、流体の圧力場領域のディスクに対する対応ノードの変位量計算を行う。具体的には、光ディスク１の変形解法によって得られたディスク格子の新しい位置情報を用いて流体解析空間を再構築する。ここでは、節点（ノード）位置を更新し、隣接する節点から流体要素を構築する。流体要素としては、構造格子が用いられているので、位置的に矛盾の無い８つの節点から１つの流体要素を作成すればよい。この操作を流体の圧力場の解析空間全てに対して施す。
【００５６】
次のステップ６０９では、流体の圧力場を、離散要素法を用いて解析する。具体的には、光ディスク１の表面の圧力場を算出するために定義された上記式（２）のレイノルズ方程式を適当な仮定（ニュートニアン近似、非圧縮性流体近似、層流等）を用いて、離散要素法により解析を行う。
【００５７】
次のステップ６１１では、光ディスク１の変形場の領域における対応グリッドの圧力を計算する。ここでは、上記ステップ６０９で得られた流体の圧力値を、上記ステップ６０１で合わせこみされたグリッドに従って、光ディスク１の構造要素に補間した上で、光ディスク１の変形場の領域に適用する。
【００５８】
次のステップ６１３では、数値計算の計算結果が終了条件に達しているか否かを判断する。数値計算の終了条件としては、光ディスク１の変位量や流体の圧力場の変動が許容範囲内となったか、又は、数値計算の繰り返し数が所定回数を上回ったかなどで判断される。すなわち、これらの終了条件を満たしたときには、判断が肯定され、処理を終了し、否定された場合には、ステップ６１５に進む。
【００５９】
終了条件を満たさなかった後に実行されるステップ６１５では、適当なパラメータ（圧力・変位量・速度など）を更新し、上記ステップ６０５に戻る。以降、上記終了条件が満たされ、ステップ６１３における判断が肯定されるまで、ステップ６０５→６０７→６０９→６１１→６１３→６１５の処理が繰り返され、各サンプリング時刻における各ノードのディスクの変位量、流体の圧力が算出されるようになる。終了条件が満たされ、ステップ６１３において判断が肯定されたとき、解析は終了する。
【００６０】
上記双方向の連成計算の数値計算の計算結果の一例について説明する。以下の表２には、この数値計算において設定された各種寸法の数値（解析条件）の設定例が示されている。
【００６１】
【表２】
2006236459.tif 000007
図８には、「ステップ深さ」として上記表２に示される３つの数値を設定して数値計算を行った場合の光ディスク１の安定化のシミュレーションの解析結果が示されている。事前検討にて「ステップ深さ」以外の各種寸法は、上記表２に示されるように一定となっている。図８では、横軸時間変化に対する特定の光ディスク１上の点（ｒ＝５５ｍｍ、θ＝４５°）の縦軸変位量（μｍ）が示されている。変位量ｗは参照平面を原点としている。このように、いずれの条件においても、時間に応じて初期変動量が制振され、光ディスク１の変位量ｗが、一定値に収束しているのが分かる。上述のように、経時的な光ディスク１の耐久性を考慮すると、安定化部材８の各種寸法を条件３のものとするのが望ましいと考えられる。
【００６２】
以上詳細に述べたように、本実施形態によれば、安定化部材８の光ディスク１との対向面が、光ディスク１の回転方向の上流側から下流側に向かって傾斜面２５と平坦面２６とを有している。この傾斜面２５は、光ディスク１の回転方向の上流側から下流側に向かって光ディスク１との間隔が狭くなる方向に傾斜しており、それに連続する平坦面２６は、その傾斜面２５に連続して下流側に設けられている。また、平坦面２６には、光ディスク１との間隔がステップ状に拡がる段差が、光ディスク１の回転方向の下流端の少なくとも一部に形成されている。この段差２７の周辺には、正圧が極大となる領域と負圧が極大となる領域とが連続して出現し、光ディスク１の回転方向に渡る安定化部材８と光ディスク１との間における気流の圧力分布の変動がその段差部付近に集中するようになる。
【００６３】
これにより、光ディスク１の変形を極力抑えた状態で、光ディスク１をより安定化させて支持することができるようになるので、回転中の光ディスク１の動作安定性をさらに向上させることができるようになる。また、光ディスク１の変形が抑制されることにより、安定化部材８を光ディスク１に接近させる必要がなくなり、それらの間隔を拡げることができるようになるため、光ディスク装置２０の設計の自由度をも向上させることができるようになる。
【００６４】
以上のことから、本実施形態に係る光ディスク装置２０は、高速回転中の光ディスク１のさらなる安定化をもたらす装置であるとすることができる。また、回転中の光ディスク１の変形を低減することができるので、光ディスク１の寿命を延ばすことも可能となる。
【００６５】
また、本実施形態によれば、段差２７は、平坦面２６の光ディスク１の半径方向の中央付近に形成されている。このようにすれば、光ディスク１の半径方向の圧力変化も急峻となり、高速回転中の光ディスク１をより安定化させることが可能となる。なお、本発明はこれに限らず、安定化部材８の下流端全体に段差２７を設けてもよい。
【００６６】
また、本実施形態によれば、複数の安定化部材８が、光ディスク１の円周方向に９０度間隔で配置されている。かかる場合には、安定化部材８が、光ディスク１の全面に渡って均等に配置されるようになるので、回転中の光ディスク１を、全面に渡って平坦な状態で安定化させることが可能となる。なお、安定化部材８の配置は、９０度配置（４つ）には限らず、光ディスク１の回転中心に対し点対称に配置されていればよい。
【００６７】
なお、光ディスク１の回転に伴う空気流の全体的な流れに不均一性などが存在する場合では、複数の安定化部材８を均等に配置するよりも、多少粗密のある配置にした方が光ディスク１の挙動が安定する場合には、そのようにしてもよい。すなわち、この場合、光ディスク１の円周方向に点在するように配設されていればよい。安定化部材８の設置位置及び数は、光ディスク１により適宜設定されるのが望ましい。なお、本実施形態に係る光ディスク装置２０は、さらなる変形が可能である。以下では、その変形例について幾つか説明する。
【００６８】
＜姿勢制御部材の挿入＞
図１０には、光ディスク装置２０の変形例を説明するための図が示されている。この光ディスク装置では、上記実施形態と異なり、安定化部材８’を保持するための部材として筺体１０等に固定された保持部材３８が設けられている。この保持部材３８の材料としては剛性が高いものが用いられている。
【００６９】
安定化部材８’は、弾性部材３５を介して、保持部材３８に保持されている。弾性部材３５により、安定化部材８’は、所定範囲内で上下に可動となっている。この保持部材３８と、弾性部材３５とで、安定化部材８’の姿勢制御部材が構成される。安定化部材８’の光ディスク１との対向面の面形状は、上記実施形態の安定化部材８の面形状と同じである。
【００７０】
ところで、光ディスク１の回転数が可変で、より高速となった場合、安定化部材８’の傾斜面２５及び平坦面２６との光ディスク１との間で発生する正圧が大きくなりすぎる場合がある。この場合、光ディスク１の面ぶれは低減するものの、光ディスク１と安定化部材８’との間隔が広がりすぎて、内部の流体環境が異なったものとなって面ぶれを発生させる他の擾乱要因が増加し、光ディスク１の安定化が損なわれる可能性が高くなったり、また、経時的な光ディスク１の耐性にも悪影響が出る可能性がある。
【００７１】
そこで、図１０に示されるように、適当な剛性・厚さを有する姿勢制御部材（保持部材３８及び弾性部材３５）を介して安定化部材８’を設置すれば、光ディスク１の回転数が増加した場合、正圧の増大に伴う弾性部材３８の弾性変形により、安定化部材８’が下側に変位するため、その対向面と光ディスク１との間隔が広がり、正圧の増加分がその間隔の拡大に吸収されて、正圧と負圧の圧力差の均衡が保たれ、光ディスク１の変形を抑制することが可能となる。なお、安定化部材８’と保持部材３８との間には、姿勢制御部材の一部としての緩衝部材３７が設けられており、安定化部材８’と保持部材３８との干渉が防止されている。
【００７２】
＜光ピックアップ装置の設置＞
上記実施形態に係る光ディスク装置２０では、光ピックアップ６は、安定化部材８に対向する位置に設置されるものとしたが、本発明はこれには限られず、他の位置に配置するようにしてもよい。例えば、図１１に示されるように、光ディスク１における線分Ａに対応する部位上を往復可能となるように光ピックアップ６を設置し、この線分Ａ上において情報の書込／読取を行うようにしてもよい。
【００７３】
なお、この光ピックアップ装置の設置位置も、上記実施形態で説明したようなシミュレーションにより求めることが可能である。図１２には、上記実施形態におけるシミュレーションの解析結果として得られた、安定状態にある光ディスク１の変位量の等高線図が示されている。また、以下の表では、変位量が最も小さい５つの線状領域及びその角度と、変位量が最大となった光ディスク１上の５つの線状領域及びその角度とがリストアップされている。図１２では、光ピックアップ６により情報の書込／読取を行うための領域の候補として、光ディスク１の変位量の変動が最小の５つの線状領域ライン０１〜ライン０５が示されている。
【００７４】
【表３】
2006236459.tif 000008
【００７５】
ここでは、これら５つの線状領域ライン０１〜０５のうち、いずれかの領域を、光ピックアップ６により情報の書込及び読取を行う領域として選択することができる。
【００７６】
図１３には、ｒ＝ｒａからｒ＝ｒｂまでのライン０１〜０５の光ディスク１の変位量の変化の様子がグラフ表示されている。図１３に示されるように、ライン０３における光ディスク１は、半径方向にほぼ水平となっているのがわかる。したがって、ライン０３を光ピックアップ６により情報の書込／読取を行う線状領域とすれば、最も安定な状態で情報の記録／再生を行うことができるようになるので、各種の記録エラーの発生を低減できることが期待できる。このような領域は、光ディスク１の回転数や特性によって当然変化するので、このような数値シミュレーションや実計測などによって予め求めておくのが望ましい。
【００７７】
なお、上述したように、光ピックアップ装置２０により情報の書込／読取を行う領域は、線状の領域ではなく光ディスク１に沿った扇型の領域であってもよいことは勿論である。この場合にも、光ディスク１の変動が最小である扇型の領域が、その領域として選択されるのが望ましい。
【００７８】
＜ディスクカートリッジへの適用＞
上記実施形態に係る光ディスク装置２０は、安定化部材８を設置することにより、光ディスク１の面ぶれの発生を抑制するものであったが、光ディスクの中には、ディスクが、ディスクカートリッジに内蔵されたままで、情報の記録及び再生が行われるものもある。以下では、このようなディスクカートリッジタイプの光ディスクに本発明を適用する場合について図１４に基づいて説明する。
【００７９】
図１４に示されるように、ディスクカートリッジ４７には、光ディスク１’が内臓されており、光ディスク１’は、ディスクカートリッジ４７ごと光ディスク装置２０’に挿入され、スピンドルシャフト３に固定される。これにより、スピンドルシャフト３の回転に伴い、ディスクカートリッジ４７内の光ディスク１’が回転するようになる。ディスクカートリッジ４７のケース４８には、光ピックアップ装置６用の開口が設けられており、光ピックアップ装置６は、この開口部を介して、光ディスク１に対する情報の書込及び読取を行う。
【００８０】
上記実施形態の安定化部材８の光ディスク１との対向面の面形状と、その面形状が同じである安定化部材８”が、ディスクカートリッジ４７に内蔵された光ディスク１’の基板側のケース４８の内壁に設けられている。光ディスク１’が回転してもディスクカートリッジ４７のケース４８は回転せず固定であるため、安定化部材８”は、上記実施形態の安定化部材８と同様に、回転中の光ディスク１’の姿勢を安定化させる。すなわち、安定化部材８”の光ディスク１との間に設けられた段差近傍に、正圧が最大となる領域と負圧が最大となる領域とが、集中して発生するようになり、光ディスク１の変形が低減された状態で、光ディスク１を安定して非接触支持することができるようになる。
【００８１】
なお、複数枚の光ディスクを収納し、チャンジャーとして用いられるディスクカートリッジにも、本発明を適用することができるのは勿論である。この場合、収納される光ディスクを、可撓性を有するシート状のうすいものとすることができるので、同じ容積を有するものでも、収納されるディスクの枚数を増やすことができるようになり、結果的にディスクカートリッジ１個分の記録容量を増やすことができる。逆に、同じ記憶容量を有するディスクカートリッジにおいては、従来のものよりも、その容積を小さいものとすることができる。
【００８２】
なお、上記実施形態では、光ピックアップ６は、情報の書込及び読取を行うものであるとしたが、どちらか一方のみ行うものであってもよい。
【００８３】
また、光ディスク１の材質、サイズ等は、上記実施形態のものには限られず、可撓性のあるシート状のものであれば良い。また、光ディスクは、エンボスピットによって情報が記録された再生専用のものや、記録層の相変化によって情報が記録される相変化型ディスクや、磁気光学効果を利用して情報が記録される光磁気ディスクなどでもよく、ディスクの記録方式等には限定されない。
【００８４】
なお、安定化部材に対向する、光ディスクの記録面が通過する領域とは、所定角度離れた領域において光ディスクに対する情報の書込及び読取の少なくとも一方を行う光ピックアップ装置を配置し、最も安定した位置で書込及び読取の少なくとも一方を行う光ディスク装置においては、安定化部材の光ディスクとの対向面の面形状を、上記実施形態のものとする必要はなく、例えば、段差２７の代わりに、光ディスクの回転方向の下流に向かって、ギャップ距離が広がっていく傾斜面（凹形状の面を含む）を備える安定化部材を用いても良い。このような形状であっても、上述した数値計算によるシミュレーションや、実測等により、光ディスク１の面内における最も安定した位置を検出し、検出された位置を設計情報として、その位置に光ピックアップを配置するように光ディスク装置を製造することができるのは勿論である。また、このような面形状を有する安定化部材を、上述した姿勢制御部材に取り付けることも可能である。
【産業上の利用可能性】
【００８５】
以上説明したように、本発明の光ディスク装置、ディスクカートリッジは、高速に回転する光ディスクを用いて高品質な情報の記録／再生を行うのに適している。また、本発明の光ディスク装置の製造方法は、このような高品質な情報の記録／再生を行う光ディスク装置の製造に適している。
【図面の簡単な説明】
【００８６】
【図１】本発明の一実施形態に係る光ディスク装置の概略構成図である。
【図２】本発明の一実施形態に係る光ディスクの一例を示す断面図である。
【図３】本発明の一実施形態に係る光ディスク装置の分解斜視図である。
【図４】安定化部材の頭部を拡大して示す斜視図である。
【図５】図５（Ａ）は、安定化部材周辺の断面図であり、図５（Ｂ）は、安定化部材と光ディスクとの周辺の圧力分布を示す図であり、図５（Ｃ）は、安定化部材周辺の断面図である。
【図６】安定化部材の各種寸法を決定するためのシミュレーションを行う際のコンピュータの処理手順を示すフローチャートである。
【図７】回転中の光ディスクの動作シミュレーションの初期条件を示す図である。
【図８】回転中の光ディスク上のある点におけるシミュレーションにおける光ディスクの変位量の時間変化を示す図である。
【図９】回転中の光ディスク全面に渡るシミュレーションの処理結果を示す図である。
【図１０】姿勢制御部材を介して接続された安定化部材周辺を模式的に示す図である。
【図１１】光ピックアップにより情報の記録／再生を行う領域の一例を示す図である。
【図１２】情報の記録／再生を行う領域の候補を示す図である。
【図１３】情報の記録／再生を行う領域の候補におけるシミュレーション結果を示す図である。
【図１４】ディスクカートリッジに内臓された光ディスクに対する情報の記録／再生を説明するための図である。
【符号の説明】
【００８７】
１，１’…光ディスク、２…押さえ、３…スピンドルシャフト、４…モータシステム、６…光ピックアップ、７…ピックアップ用位置決め機構、８、８’、８”…安定化部材、９…安定化部材保持板、１０…筺体、１５…対物レンズ、２０，２０’…光ディスク装置、２５…傾斜面、２６…平坦面、２７…段差、２９…保護膜、３０…記録層、３１…基板、３５…弾性部材、３７…緩衝部材、３８…保持部材、４７…ディスクカートリッジ、４８…ケース。
【図１】
2006236459.tif 000009
【図２】
2006236459.tif 000010
【図３】
2006236459.tif 000011
【図４】
2006236459.tif 000012
【図５】
2006236459.tif 000013
【図６】
2006236459.tif 000014
【図８】
2006236459.tif 000015
【図１０】
2006236459.tif 000016
【図１１】
2006236459.tif 000017
【図１３】
2006236459.tif 000018
【図１４】
2006236459.tif 000019
【図７】
2006236459.tif 000020
【図９】
2006236459.tif 000021
【図１２】
2006236459.tif 000022